(57)【要約】【課題】平板状の光源部と、この光源部を着脱可能に装着するソケットと、を備えた発光モジュールにおいて、小さな力で光源部をソケットに取り付けられるようにする。【解決手段】光源部２は、ソケット３と相対する装着面にソケット３を保持するための保持部４１、４２を有し、ソケット３は、保持部４１、４２との係合に関わる係合部５を有する。係合部５は、装着面３１と平行で且つ互いに逆方向へ移動可能に付勢されて保持部４１、４２と係合する係合爪５２、５３と、係合爪５２、５３が保持部４１、４２と係合しないように係合爪５２、５３を互いに近接させた状態で保持する保持機構８と、を有する。ソケット３に対して光源部２が装着位置に配置されて保持機構８による係合爪５２、５３の保持が解除されたときに、係合爪５２、５３と保持部４１、４２とが互いに係合する。そのため、小さな力で光源部２をソケット３に取り付けることができる。【選択図】図１
2014179310.tif 000002
【特許請求の範囲】
【請求項１】
平板状の光源部と、この光源部を着脱可能に装着する平板状のソケットと、を備えた発光モジュールであって、
前記光源部及びソケットのいずれか一方は、他方と相対する装着面の中央に他方を保持するための保持部を有し、他方は、前記保持部との係合に関わる係合部を有し、
前記係合部は、前記装着面と平行で且つ互いに逆方向へ移動可能に付勢されて前記保持部と係合する一対の係合爪と、前記一対の係合爪が前記保持部と係合しないように付勢力に逆らった状態で前記一対の係合爪を保持する保持機構と、を有し、
前記ソケットに対して前記光源部が装着位置に配置されて前記保持機構による前記一対の係合爪の保持が解除されたときに、前記一対の係合爪と前記保持部とが互いに係合することを特徴とする発光モジュール。
【請求項２】
前記保持部は、前記ソケットに対して前記光源部を装着位置に配置したときに、前記保持機構による前記一対の係合爪の保持を解除する解除部を有することを特徴とする請求項１に記載の発光モジュール。
【請求項３】
前記解除部は、前記光源部及びソケットを各々の装着面が相対するようにして互いに接近させて前記ソケットに対して前記光源部を装着位置に配置したときに、前記保持機構による前記一対の係合爪の保持を解除することを特徴とする請求項２に記載の発光モジュール。
【請求項４】
前記解除部は、前記装着面に複数立設され、
複数の前記解除部のうち少なくとも一の解除部は、前記保持機構による前記一対の係合爪のうち一方の保持を解除し、
前記一の解除部とは別の解除部は、前記保持機構による前記一対の係合爪のうち他方の保持を解除することを特徴とする請求項３に記載の発光モジュール。
【請求項５】
前記一対の係合爪の各々は、前記装着面と平行で且つ自身の付勢方向に交差する交差方向に移動可能とされ、
前記保持機構は、前記一対の係合爪を前記交差方向に移動させることで該一対の係合爪を保持することを特徴とする請求項２乃至請求項４のいずれか一項に記載の発光モジュール。
【請求項６】
前記保持機構は、
前記一対の係合爪の各々から前記装着面と直交する方向に伸びる一対の突起と、
前記付勢方向と平行に設けられ前記一対の突起の各々が挿通される一対の平行溝と、
前記一対の平行溝各々の前記発光モジュール内方側の端部と連続して設けられ前記交差方向に伸びる一対の交差溝と、を有することを特徴とする請求項５に記載の発光モジュール。
【請求項７】
前記一対の突起は、前記発光モジュールの中心に対して点対称に配置され、互いに逆方向に移動されたときに前記保持機構によって前記一対の係合爪が保持されるように構成されていることを特徴とする請求項６に記載の発光モジュール。
【請求項８】
前記解除部は、前記ソケットに対して前記光源部が装着位置に配置されたときに、前記保持機構により保持された前記一対の係合爪の前記交差方向における端部に当接し、
前記解除部の前記一対の係合爪と当接する面は、基部から頂部に向かうにつれて前記発光モジュール内方から前記発光モジュール外方へ傾斜したテーパ状となっていることを特徴とする請求項６又は請求項７に記載の発光モジュール。
【請求項９】
前記一対の係合爪の各々は、前記装着面と平行で且つ自身の付勢方向と平行な方向に移動可能とされ、
前記保持機構は、前記一対の係合爪を互いに近接させた状態で保持することを特徴とする請求項２乃至請求項４のいずれか一項に記載の発光モジュール。
【請求項１０】
前記保持機構は、
前記一対の係合爪の各々から前記装着面と直交する方向に伸びる一対の突起と、
前記付勢方向と平行に設けられ前記一対の突起の各々が挿通される一対の平行溝と、
前記一対の平行溝と平行な方向に前記一対の係合爪の各々から延設され弾性を有するように構成された延設部と、
前記延設部の基部から前記装着面側に突出した引掛爪と、
前記一対の係合爪が互いに近接した状態において前記引掛爪と係合する引掛凹部と、を有することを特徴とする請求項９に記載の発光モジュール。
【請求項１１】
前記解除部は、前記保持機構によって前記一対の係合爪を互いに近接させた状態において前記ソケットに対して前記光源部が装着位置に配置されたときに、前記延設部の端部を前記装着面とは反対側の方向に押圧して前記引掛爪と前記引掛凹部との係合を解除することを特徴とする請求項１０に記載の発光モジュール。
【請求項１２】
前記保持機構は、前記付勢方向において前記引掛凹部よりも前記発光モジュール外方側に前記引掛爪を収納する収納凹部を更に有し、
前記収納凹部は、前記引掛爪と前記引掛凹部との係合が解除されたときに前記引掛爪を収納することを特徴とする請求項１０又は請求項１１に記載の発光モジュール。
【請求項１３】
前記係合部は、前記保持機構による前記一対の係合爪の保持状態を示すマークを有し、
前記マークは、前記保持機構によって前記一対の係合爪が保持されているときには前記装着面側に露出され、且つ前記保持機構による前記一対の係合爪の保持が解除されたときには該一対の係合爪によって隠されて前記装着面側に露出しないことを特徴とする請求項１乃至請求項１２のいずれか一項に記載の発光モジュール。
【請求項１４】
前記ソケットは、自身を施工面に固定するためのネジが挿通される複数のソケット固定部を有し、
前記複数のソケット固定部の一つは、前記装着面の中心に設けられていることを特徴とする請求項１乃至請求項１３のいずれか一項に記載の発光モジュール。
【請求項１５】
前記一対の係合爪は、個数又は相対位置が互いに異なる凸部又は凹部をそれぞれ有し、
前記保持部は、前記凸部又は凹部に嵌り込む凹部又は凸部を有することを特徴とする請求項１乃至請求項１４のいずれか一項に記載の発光モジュール。
【請求項１６】
前記光源部は、自身に給電するための一対の給電端子を前記装着面に有し、
前記ソケットは、前記一対の給電端子の各々を挟持する一対の端子受け部を有し、
前記一対の給電端子の各々は、前記光源部が前記ソケットに装着されると前記一対の端子受け部の各々と電気的に接続されることを特徴とする請求項１乃至請求項１５のいずれか一項に記載の発光モジュール。
【請求項１７】
請求項１乃至請求項１６のいずれか一項に記載の発光モジュールを備えたことを特徴とする照明器具。
【発明の詳細な説明】
【技術分野】
【０００１】
本発明は、有機ＥＬ素子を光源とする発光モジュール及びそれを用いた照明器具に関する。
【背景技術】
【０００２】
有機ＥＬ素子は、低電圧で高輝度の発光が可能であり、含有する有機化合物の種類によって様々な発光色が得られ、また、平板状の発光パネルとしての製造が容易であるので、近年、発光モジュールの光源として用いることが注目されている。
【０００３】
図２１に示すように、このような有機ＥＬ素子１０を光源とする矩形平板状の光源部２０と、この光源部２０を着脱可能に装着するソケット３０と、を備えた発光モジュール１００が知られている（例えば、特許文献１参照）。ソケット３０は、光源部２０が嵌め込まれる矩形状の窪み４０と、この窪み４０の内周に設けられ発光モジュール１００の内方に向かってバネ（不図示）で弾性付勢された係合爪５０と、を有する。光源部２０は、その側面の係合爪５０に対応する位置に係合爪５０と係合する保持部６０を有し、保持部６０が設けられた辺と対向する辺を回動軸として回動可能にソケット３０に取り付けられている。
【０００４】
光源部２０をソケット３０の方に回動させると、光源部２０とソケット３０の係合爪５０とが互いに当接する。この状態から更に光源部２０をソケット３０の方に押し込むと、係合爪５０がバネの付勢に抗して発光モジュール１００の外方に向かってスライドし、光源部２０が窪み４０に嵌り込む。次いで、係合爪５０が、バネによって発光モジュール１００の内方に再び弾性付勢され、光源部２０の保持部６０と係合する。これにより、光源部２０がソケット３０に装着される。
【先行技術文献】
【特許文献】
【０００５】
【特許文献１】特開２０１１−２４３４６１号公報
【発明の概要】
【発明が解決しようとする課題】
【０００６】
しかしながら、上述したような発光モジュール１００では、ソケット３０が光源部２０よりも大きいので、例えば、複数の発光モジュール１００をマトリクス状に配置したときに、非発光面であるソケット３０部分の割合が多くなって発光面の割合が小さくなってしまう。
【０００７】
そこで、発光面の割合を大きくするためにソケットを光源部よりも小さく構成し、ソケットを光源部の背面側に配置することが考えられる。このような場合には、小さなソケットで大きな光源部を保持することになるので、ソケットは、光源部が落下しないように強い押し圧で係合爪を弾性付勢する必要がある。そうすると、光源部をソケットに取り付ける際に大きな力が必要となり、特に、光源部の発光面が大きい場合には、ユーザが光源部の発光面を押してしまうことがある。発光面が外圧を受けると有機ＥＬ素子が損傷して、発光性能が低下する虞がある。
【０００８】
本発明は、上記課題を解決するものであって、光源部のソケットからの落下を確実に防止しつつ、小さな力で光源部をソケットに取り付けることができる発光モジュールを提供することを目的とする。
【課題を解決するための手段】
【０００９】
本発明の発光モジュールは、平板状の光源部と、この光源部を着脱可能に装着する平板状のソケットと、を備え、前記光源部及びソケットのいずれか一方は、他方と相対する装着面の中央に他方を保持するための保持部を有し、他方は、前記保持部との係合に関わる係合部を有し、前記係合部は、前記装着面と平行で且つ互いに逆方向へ移動可能に付勢されて前記保持部と係合する一対の係合爪と、前記一対の係合爪が前記保持部と係合しないように付勢力に逆らった状態で前記一対の係合爪を保持する保持機構と、を有し、前記ソケットに対して前記光源部が装着位置に配置されて前記保持機構による前記一対の係合爪の保持が解除されたときに、前記一対の係合爪と前記保持部とが互いに係合することを特徴とする。
【００１０】
前記保持部は、前記ソケットに対して前記光源部を装着位置に配置したときに、前記保持機構による前記一対の係合爪の保持を解除する解除部を有することが好ましい。
【００１１】
前記解除部は、前記光源部及びソケットを各々の装着面が相対するようにして互いに接近させて前記ソケットに対して前記光源部を装着位置に配置したときに、前記保持機構による前記一対の係合爪の保持を解除することが好ましい。
【００１２】
前記解除部は、前記装着面に複数立設され、複数の前記解除部のうち少なくとも一の解除部は、前記保持機構による前記一対の係合爪のうち一方の保持を解除し、前記一の解除部とは別の解除部は、前記保持機構による前記一対の係合爪のうち他方の保持を解除することが好ましい。
【００１３】
前記一対の係合爪の各々は、前記装着面と平行で且つ自身の付勢方向に交差する交差方向に移動可能とされ、前記保持機構は、前記一対の係合爪を前記交差方向に移動させることで該一対の係合爪を保持することが好ましい。
【００１４】
前記保持機構は、前記一対の係合爪の各々から前記装着面と直交する方向に伸びる一対の突起と、前記付勢方向と平行に設けられ前記一対の突起の各々が挿通される一対の平行溝と、前記一対の平行溝各々の前記発光モジュール内方側の端部と連続して設けられ前記交差方向に伸びる一対の交差溝と、を有することが好ましい。
【００１５】
前記一対の突起は、前記発光モジュールの中心に対して点対称に配置され、互いに逆方向に移動されたときに前記保持機構によって前記一対の係合爪が保持されるように構成されていることが好ましい。
【００１６】
前記解除部は、前記ソケットに対して前記光源部が装着位置に配置されたときに、前記保持機構により保持された前記一対の係合爪の前記交差方向における端部に当接し、前記解除部の前記一対の係合爪と当接する面は、基部から頂部に向かうにつれて前記発光モジュール内方から前記発光モジュール外方へ傾斜したテーパ状となっていることが好ましい。
【００１７】
前記一対の係合爪の各々は、前記装着面と平行で且つ自身の付勢方向と平行な方向に移動可能とされ、前記保持機構は、前記一対の係合爪を互いに近接させた状態で保持することが好ましい。
【００１８】
前記保持機構は、前記一対の係合爪の各々から前記装着面と直交する方向に伸びる一対の突起と、前記付勢方向と平行に設けられ前記一対の突起の各々が挿通される一対の平行溝と、前記一対の平行溝と平行な方向に前記一対の係合爪の各々から延設され弾性を有するように構成された延設部と、前記延設部の基部から前記装着面側に突出した引掛爪と、前記一対の係合爪が互いに近接した状態において前記引掛爪と係合する引掛凹部と、を有することが好ましい。
【００１９】
前記解除部は、前記保持機構によって前記一対の係合爪を互いに近接させた状態において前記ソケットに対して前記光源部が装着位置に配置されたときに、前記延設部の端部を前記装着面とは反対側の方向に押圧して前記引掛爪と前記引掛凹部との係合を解除することが好ましい。
【００２０】
前記保持機構は、前記付勢方向において前記引掛凹部よりも前記発光モジュール外方側に前記引掛爪を収納する収納凹部を更に有し、前記収納凹部は、前記引掛爪と前記引掛凹部との係合が解除されたときに前記引掛爪を収納することが好ましい。
【００２１】
前記係合部は、前記保持機構による前記一対の係合爪の保持状態を示すマークを有し、前記マークは、前記保持機構によって前記一対の係合爪が保持されているときには前記装着面側に露出され、且つ前記保持機構による前記一対の係合爪の保持が解除されたときには該一対の係合爪によって隠されて前記装着面側に露出しないことが好ましい。
【００２２】
前記ソケットは、自身を施工面に固定するためのネジが挿通される複数のソケット固定部を有し、前記複数のソケット固定部の一つは、前記装着面の中心に設けられていることが好ましい。
【００２３】
前記一対の係合爪は、個数又は相対位置が互いに異なる凸部又は凹部をそれぞれ有し、前記保持部は、前記凸部又は凹部に嵌り込む凹部又は凸部を有することが好ましい。
【００２４】
前記光源部は、自身に給電するための一対の給電端子を前記装着面に有し、前記ソケットは、前記一対の給電端子の各々を挟持する一対の端子受け部を有し、前記一対の給電端子の各々は、前記光源部が前記ソケットに装着されると前記一対の端子受け部の各々と電気的に接続されることが好ましい。
【００２５】
本発明の照明器具は、上記発光モジュールを備えたことを特徴とする。
【発明の効果】
【００２６】
本発明によれば、保持機構によって係合爪が保持部と係合しないようにした状態でソケットに対して光源部を装着位置に配置した後、保持機構を解除して係合爪と保持部とを互いに係合させる。そのため、光源部のソケットからの落下を確実に防止しつつ、小さな力で光源部をソケットに取り付けることができる。
【図面の簡単な説明】
【００２７】
【図１】本発明の第１の実施形態に係る発光モジュールを光源部側から見た分解斜視図。
【図２】上記発光モジュールをソケット側から見た分解斜視図。
【図３】上記ソケットの分解斜視図。
【図４】（ａ）は上記ソケットにおいてロック状態にある係合部を示す斜視図、（ｂ）は（ａ）の破線で囲んだ領域の平面図。
【図５】（ａ）は上記ソケットにおいてセット状態にある係合部を示す斜視図、（ｂ）は（ａ）の破線で囲んだ領域の平面図。
【図６】上記光源部とソケットとの係合を示す部分断面図。
【図７】（ａ）（ｃ）（ｅ）は、図６のＩ方向から見たときの上記光源部とソケットとの係合過程を示す断面図、（ｂ）（ｄ）（ｆ）は、（ａ）（ｃ）（ｅ）に示した状態をソケットの装着面側から見た図。
【図８】（ａ）（ｂ）は、図６のＩＩ方向から見たときの上記光源部とソケットとの係合過程を示す断面図。
【図９】本発明の第２の実施形態に係る発光モジュールを構成するソケットの斜視図。
【図１０】上記発光モジュールを構成する光源部の斜視図。
【図１１】（ａ）は図１０の破線で囲まれた領域の拡大図、（ｂ）は（ａ）に示した係合部を装着面とは反対側の面から見た斜視図。
【図１２】ロック状態にある上記係合部の斜視図。
【図１３】（ａ）（ｂ）は、本発明の第３の実施形態に係る発光モジュールにおいて係合部をセット状態からロック状態にするときの動作を示す図。
【図１４】（ａ）（ｂ）は、上記実施形態の変形例に係る発光モジュールにおいて係合部をセット状態からロック状態にするときの動作を示す図。
【図１５】本発明の第４の実施形態に係る発光モジュールを構成するソケットの斜視図。
【図１６】上記ソケットを構成するソケットボディの斜視図及びその一部拡大図。
【図１７】上記ソケットを構成する係合爪の斜視図。
【図１８】上記発光モジュールを構成する光源部の斜視図。
【図１９】（ａ）乃至（ｃ）は、上記光源部をソケットに装着するときの動作を示す図。
【図２０】（ａ）乃至（ｃ）は、上記光源部をソケットから取り外すときの動作を示す図。
【図２１】従来の発光モジュールの斜視図。
【発明を実施するための形態】
【００２８】
本発明の第１の実施形態に係る照明器具の一構成である発光モジュールについて、図１乃至図８を参照して説明する。図１及び図２に示すように、発光モジュール１は、光源部２と、光源部２を着脱可能に装着するソケット３と、を備える。
【００２９】
光源部２は、矩形平板状とされ、ソケット３と相対する面をソケット３との係合に関わる装着面２１とし、他方の面を光照射面２２としている。光源部２は、有機ＥＬ素子を光源とする矩形平板状の発光パネル２３と、発光パネル２３の発光面を覆う透光性の前面カバー２４と、前面カバー２４に係合して発光パネル２３の発光面とは反対側の面を覆う背面カバー２５と、を有する。
【００３０】
背面カバー２５（装着面２１）の中央には、ソケット３との係合に用いられる一対の保持部４１、４２が設けられている（図２参照）。保持部４１、４２は、ソケット３の係合爪５２、５３（後述参照）と係合する保持爪４３、４４と、装着面２１に立設され係合爪５２、５３の保持（後述参照）を解除するのに用いられる解除部４５、４６と、を有する。また、光源部２は、その装着面２１に、自身に給電するための一対の給電端子２６、２７と、後述する保持機構８の突起８１、８２を逃がすための逃がし部２８、２９と、を有する。
【００３１】
ソケット３は、円板形状とされ、光源部２と相対する面を光源部２が装着される装着面３１とし、他方の面を天井や壁等の施工面に取り付けられる取付面３２としている。図３に示すように、ソケット３は、光源部２の保持部４１、４２との係合に関わる係合部５を有する。また、ソケット３は、光源部２への給電を制御する基板６と、扁平な有底円筒形状とされ係合部５及び基板６を内包するソケットボディ７１と、ソケットボディ７１の開口を封止するソケットカバー７２と、を有する。ソケットボディ７１の表面が、装着面３１となる。
【００３２】
係合部５は、装着面３１に対して平行に配置されたバネ５１と、バネ５１の端部に設けられ光源部２の保持爪４３、４４の各々と係合する一対の係合爪５２、５３と、を有する。これにより、係合爪５２、５３は、装着面３１と平行で且つ互いに逆方向へ移動可能に弾性付勢される。なお、以下ではバネ５１により弾性付勢される方向を付勢方向Ｄという。
【００３３】
また、係合部５は、係合爪５２、５３が保持爪４３、４４と係合しないように、係合爪５２、５３をバネ５１による付勢力に逆らって互いに近接させた状態で保持する保持機構８を有する。保持機構８は、係合爪５２、５３の各々から装着面３１と直交してソケットボディ７１の方向に伸びる一対の突起８１、８２と、装着面３１において付勢方向Ｄと平行に設けられ突起８１、８２の各々が挿通される一対の平行溝８３、８４と、を有する。突起８１、８２は、発光モジュール１（ソケット３）の中心に対して互いに点対称となるように配置されている。また、保持機構８は、平行溝８３、８４各々の発光モジュール１内方側の端部と連続して設けられ装着面３１において付勢方向Ｄに交差する方向（以下、交差方向Ｅという）に伸びる一対の交差溝８５、８６を有する。交差溝８５、８６は、図例では装着面３１において付勢方向Ｄに直交する方向に設けられ、互いに反対側の方向に伸びるように設けられている。上記のように構成することで、係合爪５２、５３は、突起８１、８２が平行溝８３、８４及び交差溝８５、８６に沿って移動する範囲で、装着面３１と平行で且つ付勢方向Ｄ及び交差方向Ｅに移動可能となる。
【００３４】
また、係合部５は、交差溝８５、８６の端部の交差方向Ｅ側に隣接してソケットボディ７１に設けられた一対の穴５４、５５を有する。穴５４、５５には、ソケット３に対して光源部２が装着位置に配置されたときに、上述した保持部４１、４２の解除部４５、４６が挿通される。穴５４、５５に挿通された解除部４５、４６は、後述するように、保持機構８によって保持された係合爪５２、５３に当接して保持機構８による係合爪５２、５３の保持を解除する。
【００３５】
ソケットボディ７１は、光源部２の保持部４１、４２が嵌り込む孔７３、７４と、ソケット３を施工面に固定するためのネジ（不図示）が挿通されるソケット固定部７５、７６と、を有する。ソケット固定部７５は、装着面３１の中心に設けられている。ソケットカバー７２は、ソケット固定部７５、７６の各々に対応する位置に、それぞれソケット固定部７７、７８を有する。
【００３６】
ソケット３を施工面に固定するには、まず、ソケット固定部７５、７７にネジを挿通してソケット３を施工面にネジ止めする。このとき、ソケット固定部７５、７７は、装着面３１の中心に設けられているので、この状態でソケット３を回転させてソケット３の向きを調整したとしても、ソケット３の相対位置は変化しない。ソケット３の向きを調整した後、ソケット固定部７６、７８を介してソケット３を施工面に更にネジ止めすることで、ソケット３を所定の場所に所定の向きで確実に取り付けることができる。
【００３７】
また、ソケットボディ７１は、光源部２の給電端子２６、２７が挿通される一対の端子穴７９、８０を有する。基板６は、端子穴７９、８０に挿通された給電端子２６、２７を挟持する端子受け部６１と、外部電源と接続されるコネクタ６２と、を有する。外部電源から供給された電力は、コネクタ６２、基板６、端子受け部６１そして給電端子２６、２７を介して光源部２に通電される。給電端子２６、２７は、光源部２がソケット３に装着されると端子受け部６１と電気的に接続されるように構成されている。このようにすることで、光源部２のソケット３への装着と、給電端子２６、２７と端子受け部６１との電気的接続を同時に行うことができるので操作性が向上する。なお、図３では図を簡単にするために端子受け部６１及びコネクタ６２は各々１つずつしか図示されていないが、実際には、端子受け部６１及びコネクタ６２は、給電端子２６、２７の各々に対応するようにそれぞれ２つずつ設けられている。
【００３８】
また、基板６は、その中央にくり抜き６３を有し、このくり抜き６３に係合部５が収容されている。このようにすることで、くり抜きを持たない基板６上に係合部５を配置する場合に比べて、ソケット３の厚みを薄くすることができる。
【００３９】
図４（ａ）に示すように、係合爪５２、５３は、各々の突起８１、８２が平行溝８３、８４のソケット３外方側の端部に当接している場合には、孔７３、７４の直下に位置して光源部２の保持爪４３、４４と係合可能な「ロック状態」となる。図４（ｂ）に示すように、孔７３の直下で且つロック状態の係合爪５２によって隠されるソケットカバー７２の領域には、例えば、目立つ色の塗料を塗布することで形成されたマーク５６（ドットで示す）が設けられている。
【００４０】
この状態から、突起８１、８２を掴んでバネ５１の弾性力に逆らってソケット３内方側へ移動させた後、突起８１、８２をねじるようにして互いに逆向きの交差方向Ｅに移動させることで、突起８１、８２を交差溝８５、８６に係止する。これにより、図５（ａ）に示すように、係合爪５２、５３が互いに近接して保持された「セット状態」となる。セット状態では、係合爪５２、５３は、孔７３、７４よりもソケット３内方側にあって孔７３、７４から外部に露出せず、光源部２の保持爪４３、４４とは係合できない。このとき、図５（ｂ）に示すように、マーク５６は、係合爪５２によって隠されず、装着面３１側から見たときに孔７３から外部に露出してユーザにより容易に視認される。すなわち、マーク５６は、保持機構８による係合爪５２の保持状態を示し、係合爪５２がセット状態にあるときには装着面３１側に露出し、係合爪５２がロック状態にあるときには係合爪５２によって隠されて装着面３１側に露出しない。このようなマーク５６を設けることで、ユーザは、係合爪５２がロック状態にあるのかセット状態にあるのかを容易に認識することができる。なお、図示していないが、マーク５６は、係合爪５３に対応するソケットカバー７２の領域にも設けられている。
【００４１】
また、穴５４は、交差溝８５が伸びる方向における係合爪５２の端部５２ａが、装着面３１側から見て、ロック状態においては外部に露出せず（図４（ｂ）参照）、セット状態においては外部に露出するような位置に設けられている（図５（ｂ）参照）。なお、穴５５についても、穴５４と同様に構成されている。
【００４２】
上記のように構成された発光モジュール１において、光源部２をソケット３に装着するときの動作について図６乃至図８を参照して説明する。図７（ａ）（ｃ）（ｅ）は、図６のＩ方向から係合爪５２の端部５２ａと解除部４５とが互いに当接する様子を示す。図８（ａ）（ｂ）は、図６のＩＩ方向から係合爪５２と保持爪４３とが互いに係合する様子を示す。
【００４３】
図７（ａ）（ｂ）に示すように、光源部２をソケット３に装着するには、まず、突起８１を交差溝８５に係止して係合爪５２をセット状態とする。そして、この状態のまま、光源部２の解除部４５がソケット３の穴５４に挿通されるように、光源部２及びソケット３を各々の装着面２１、３１が相対するようにして互いに接近させる。ここで、解除部４５は、係合爪５２の端部５２ａに当接する面４５ａが基部４５ｂから頂部４５ｃに向かうにつれて発光モジュール１内方側から発光モジュール１外方側へ傾斜したテーパ状となるように構成されている。次いで、図７（ｃ）（ｄ）に示すように、解除部４５の面４５ａが係合爪５２の端部５２ａに当接するまで、光源部２をソケット３の方に押し込む。この状態から、図７（ｅ）（ｆ）に示すように、更に光源部２をソケット３の方に押し込むと、係合爪５２の端部５２ａが解除部４５の面４５ａによって押されて係合爪５２がスライドし、これにより、突起８１が交差溝８５から平行溝８３の方へ移動する。このように、光源部２をソケット３の方に押し込む力は、解除部４５と係合爪５２とが互いに当接することで、突起８１を交差溝８５から平行溝８３へ移動させる力に変換される。なお、交差溝８５を平行溝８３と鋭角を成すように設けることで、交差溝８５から平行溝８３への突起８１の意図しない移動を防止した構成としてもよい。
【００４４】
突起８１が交差溝８５に係止されているときには、図８（ａ）に示すように、係合爪５２は、セット状態にあって保持爪４３とは係合しない。この状態から、上記のようにして突起８１を交差溝８５から平行溝８３へ移動させると、図８（ｂ）に示すように、係合爪５２は、保持爪４３の方に弾性付勢され、保持爪４３と係合してロック状態となる。このように、解除部４５は、ソケット３に対して光源部２を装着位置に配置したときに、保持機構８による係合爪５２の保持が解除して、係合爪５２と保持爪４３とを互いに係合させる。なお、上述した解除部４５による係合爪５２の保持解除と同様にして、解除部４６による係合爪５３の保持解除も起こる。
【００４５】
上述のように、本実施形態の発光モジュール１によれば、保持機構８によって係合爪５２、５３が保持爪４３、４４と係合しないようにした状態でソケット３に対して光源部２を装着位置に配置した後、保持機構８を解除することでこれらの爪を互いに係合させる。そのため、光源部２のソケット３からの落下を確実に防止しつつ、小さな力で光源部２をソケット３に取り付けることができる。これにより、例えば、光源部２のサイズが大きい場合であっても、ユーザが、光源部２の光照射面２２を押して光源部２をソケット３に装着しようとすることが防止されるので、発光パネル２３の損傷を防ぐことができる。なお、光源部２のソケット３からの取り外しは、光源部２をソケット３から引き離すように引っ張ることでバネ５１を短縮させ、これにより、保持爪４３、４４と係合爪５２、５３との係合を解除することで成される。
【００４６】
また、ソケット３に対して光源部２を装着位置に配置するだけで、解除部４５、４６が保持機構８による係合爪５２、５３の保持を解除するので、簡単に光源部２をソケット３に装着することができる。このとき、解除部４５、４６の各々がそれぞれ係合爪５２、５３の保持を解除するので、解除部４５、４６両方による保持解除を確実に行うことでソケット３に対する光源部２の傾きや位置ずれを防止することができる。
【００４７】
次に、本発明の第２の実施形態に係る発光モジュールについて、図９乃至図１２を参照して説明する。本実施形態では、保持部４１がソケット３の装着面３１に設けられ、係合部５が光源部２の装着面２１に設けられている。
【００４８】
図９に示すように、ソケット３の保持部４１は、光源部２の係合部５が嵌り込む矩形状の窪み４７と、窪み４７の内周面の互いに対向する面の各々に設けられた一対の保持爪４３、４４と、を有する。保持爪４３、４４は、係合部５との係合向きを規定するために個数又は相対位置が互いに異なる凸部又は凹部を有し、図例では、保持爪４４に１つの凹部４８が設けられ、保持爪４３には凸部も凹部も設けられていない。また、ソケット３は、装着面３１から立設された解除部４５を有する。
【００４９】
図１０に示すように、光源部２の係合部５は、装着面２１の中央に係合爪５２、５３を有する。係合爪５３は、保持爪４４の凹部４８に嵌り込む凸部５７を有し、係合爪５２は、凸部も凹部も有していない。このように構成することで、係合爪５３は、保持爪４４とは係合できるが、凸部５７が保持爪４３に当接するので保持爪４３とは係合できなくなる。これにより、光源部２をソケット３に対して所定の向きで装着することが可能となる。
【００５０】
図１１（ａ）は、係合部５を装着面２１側から見た図であり、図１１（ｂ）は、係合部５を装着面２１の裏面から見た図である。係合部５は、係合爪５２、５３の各々から装着面２１と平行で且つ交差方向Ｅに伸びる一対の羽根５８ａ、５８ｂと、装着面２１に立設され羽根５８ａ、５８ｂの付勢方向Ｄにおける移動を規制する一対の規制部５９、６０と、を更に有する。規制部５９、６０の各々は、羽根５８ａ、５８ｂを付勢方向Ｄにおいてスライド可能に収納するスライド溝５９ａ、６０ａと、スライド溝５９ａ、６０ａ各々の付勢方向Ｄにおける両端部にそれぞれ設けられた一対の壁５９ｂ、６０ｂと、を有する。このように構成することで、係合爪５２、５３は、羽根５８ａ、５８ｂがスライド溝５９ａ、６０ａ内で移動する範囲内において付勢方向Ｄに移動可能となる。また、係合部５は、規制部５９の上面に設けられソケット３の解除部４５が挿通される穴５４（図１１（ｂ）においてドットで示す）を更に有する。
【００５１】
突起８１、８２は、係合爪５２、５３の各々から装着面２１に向けて伸びるように設けられ、交差溝８５、８６は、互いに同じ方向に伸びるように設けられている。突起８１、８２が交差溝８５、８６に係止されたセット状態において、光源部２をソケット３に対して装着位置に配置すると、ソケット３の解除部４５が、光源部２の穴５４に挿通される。穴５４に挿通された解除部４５は、係合爪５２、５３の端部５２ａ、５３ａに当接して、突起８１、８２が交差溝８５、８６から平行溝８３、８４へ移動するように係合爪５２、５３をスライドさせる。突起８１、８２が平行溝８３、８４に達すると、図１２に示すように、バネ５１の弾性力によって係合爪５２、５３が付勢方向Ｄにおける相反する方向に弾性付勢され、ソケット３の保持爪４３、４４と係合可能なロック状態となる。
【００５２】
本実施形態の発光モジュールでも、上記の発光モジュール１と同様の効果が得られる。
【００５３】
次に、本発明の第３の実施形態に係る発光モジュールについて、図１３（ａ）（ｂ）を参照して説明する。本実施形態の発光モジュールは、上述した発光モジュール１を基に、交差溝８５、８６、穴５４、５５及び解除部４５、４６を設けずに、保持機構８として機能する保持ツール９１を新たに設けたものである。
【００５４】
図１３（ａ）に示すように、保持ツール９１は、平行溝８３、８４のソケット３内方側に配置された突起８１、８２の付勢方向Ｄにおけるソケット３外方側の端部と当接する一対の当接部９１ａを有する。また、保持ツール９１は、一対の当接部９１ａの一方側の端部同士を連結する連結部９１ｂと、連結部９１ｂの中央から一対の当接部９１ａが伸びる方向とは反対で交差方向Ｅと平行な方向に伸びる把持部９１ｃと、を有する。把持部９１ｃは、その端部が発光モジュールの外側に突出するような長さに構成されている。
【００５５】
保持ツール９１を用いて光源部２（不図示）をソケット３に装着するには、まず、平行溝８３、８４のソケット３内方側に配置した突起８１、８２を一対の当接部９１ａにより挟み込んで保持する。この状態をセット状態とする。次いで、このセット状態において光源部２をソケット３に対して装着位置に配置した後、図１３（ｂ）に示すように、把持部９１ｃを掴んで保持ツール９１をソケット３外方側に引っ張る。これにより、当接部９１ａが突起８１、８２から外れて突起８１、８２がバネ５１の弾性力によって平行溝８３、８４のソケット３外方側に移動し、係合爪５２、５３が保持爪４３、４４（不図示）と係合可能なロック状態となる。
【００５６】
次に、本実施形態の変形例に係る発光モジュールについて図１４（ａ）（ｂ）を参照して説明する。この発光モジュールは、上述の保持ツール９１とは構造が異なる保持ツール９２を備える。保持ツール９１では一対の当接部９１ａと把持部９１ｃとが互いに反対の方向に伸びていたのに対し、保持ツール９２では一対の当接部９２ａと把持部９２ｃとが互いに同じ方向に伸びている。
【００５７】
保持ツール９２を用いて光源部２（不図示）をソケット３に装着するには、図１４（ａ）に示すように、まず、保持ツール９１の場合と同様に、平行溝８３、８４のソケット３内方側に配置した突起８１、８２を一対の当接部９２ａにより挟み込んで保持する。次いで、このセット状態において光源部２をソケット３に対して装着位置に配置した後、図１４（ｂ）に示すように、把持部９２ｃを掴んで保持ツール９２をソケット３内方側に押し込む。これにより、一対の当接部９２ａから解放された突起８１、８２が平行溝８３、８４のソケット３外方側に移動して、係合爪５２、５３が保持爪４３、４４（不図示）と係合可能なロック状態となる。
【００５８】
上述のように、本実施形態及びその変形例の発光モジュールによれば、交差溝８５、８６、穴５４、５５及び解除部４５、４６を設けなくても係合爪５２、５３を保持及び解除することが可能となると共に、上記の発光モジュール１と同様の効果を得ることができる。
【００５９】
次に、本発明の第４の実施形態に係る発光モジュールについて図１５乃至図２０を参照して説明する。本発光モジュールでは、保持機構８及び解除部４５、４６の構成が、上述した発光モジュール１のものとは異なる。保持機構８の一部は、係合爪５２、５３に設けられ、保持機構８の他部は、ソケット３のソケットボディ７１に設けられている。解除部４５、４６は、光源部２の装着面２１に設けられている。
【００６０】
図１５に示すように、係合爪５２、５３（ドットで示す）は、各々の発光モジュール内方側の側面中央にバネ５１の端部が差し込まれるバネ差込部５０を有し、ソケット３の中央から外方に向かって付勢方向Ｄに付勢されている。なお、図１５では基板６及びソケットカバー７２の図示を省略している。
【００６１】
図１６及び図１７に示すように、保持機構８は、係合爪５２からソケット３の装着面３１側に該装着面３１と直交するように伸びる突起８１（図１７参照）と、ソケットボディ７１に設けられ突起８１が挿通される平行溝８３と、を有する（図１６参照）。突起８１は、ユーザが突起８１を掴んで操作する際にユーザの指が引っ掛かり易くなるように段差８１ａを有する。平行溝８３は、付勢方向Ｄと平行に設けられている。また、保持機構８は、係合爪５２から発光モジュール内方側に向かって付勢方向Ｄ（平行溝８３と平行な方向）に延設された延設部８７を有する。延設部８７は、発光モジュール外方側の端部において係合爪５２に対して片持ち状態となるように設けられ、発光モジュール内方側の端部がソケット３の装着面３１とは反対側の方向に弾性押圧可能に構成されている。図例では、２つの延設部８７ａ、８７ｂが設けられて、延設部８７ａ、８７ｂは、バネ差込部５０を挟み込むようにして配置されている。
【００６２】
また、保持機構８は、延設部８７ａ、８７ｂの基部からソケット３の装着面３１側に突出した引掛爪８８ａ、８８ｂ（図１７参照）と、ソケットボディ７１の内面に設けられ引掛爪８８ａ、８８ｂと係合する引掛凹部８９ａ、８９ｂ（図１６参照）と、を有する。引掛凹部８９ａ、８９ｂは、引掛爪８８ａ、８８ｂと係合したときに、係合爪５２がソケット３の孔７３の直下よりも発光モジュール内方側に配置されて光源部２の保持部４１とは係合することができない状態（セット状態）となるような位置に設けられている。更に、保持機構８は、付勢方向Ｄにおいて引掛凹部８９ａ、８９ｂよりも発光モジュール外方側に設けられ引掛爪８８ａ、８８ｂを収納する収納凹部９０ａ、９０ｂを有する。収納凹部９０ａ、９０ｂは、引掛爪８８ａ、８８ｂを収容したときに、係合爪５２が孔７３の直下に配置されて光源部２の保持部４１と係合することができる状態（ロック状態）となるような位置に設けられている。
【００６３】
光源部２の解除部４５（後述参照）を挿通するための穴５４は、付勢方向Ｄにおいて引掛凹部８９ａ、８９ｂよりも発光モジュール内方側に設けられた穴５４ａ、５４ｂにより構成されている。穴５４ａ、５４ｂは、係合爪５２がセット状態のときには延設部８７ａ、８７ｂの端部が穴５４ａ、５４ｂの直下に配置され、且つ係合爪５２がロック状態のときには同端部が穴５４ａ、５４ｂよりも発光モジュール外方側に配置されるような位置に設けられている。なお、上記では係合爪５２に対応する保持機構８について説明したが、係合爪５３に対応する保持機構８も同様に構成されている。
【００６４】
図１８に示すように、解除部４５は、光源部２の装着面２１において穴５４ａ、５４ｂに対応する位置に設けられた解除部４５’、４５’’を有する。解除部４５’、４５’’は、係合爪５２がセット状態となった光源部２をソケット３に装着したときに、ソケット３の穴５４ａ、５４ｂに挿通されて延設部８７ａ、８７ｂの端部に当接する。係合爪５３に対する解除部４６は、解除部４６’、４６’’により構成されている。
【００６５】
上記のように構成された発光モジュールにおいて、光源部２をソケット３に装着するときの動作について図１９（ａ）乃至（ｃ）を参照して説明する。まず、図１９（ａ）に示すように、ソケット３において、引掛爪８８ａ（８８ｂ）を引掛凹部８９ａ（８９ｂ）に係合させて係合爪５２をセット状態とする。次いで、ソケット３の穴５４ａ（５４ｂ）及び孔７３の各々に、それぞれ光源部２の解除部４５’（４５’’）及び保持部４１が挿通されるように、ソケット３に対して光源部２を接近させる。そうすると、図１９（ｂ）に示すように、解除部４５’（４５’’）が、延設部８７ａ（８７ｂ）の端部をソケット３の装着面３１とは反対側の方向に押圧して、引掛爪８８ａ（８８ｂ）と引掛凹部８９ａ（８９ｂ）との係合を解除する。その結果、図１９（ｃ）に示すように、係合爪５２は、バネ５１によって保持部４１の方向に付勢されて保持部４１と係合したロック状態となり、これにより光源部２がソケット３に装着される。このとき、引掛爪８８ａ（８８ｂ）は、収納凹部９０ａ（９０ｂ）に収納される。
【００６６】
次に、同発光モジュールにおいて光源部２をソケット３から取り外すときの動作について図２０（ａ）乃至（ｃ）を参照して説明する。図２０（ａ）は、光源部２がソケット３に装着された状態（ロック状態）を示す。このとき、延設部８７ａ（８７ｂ）の端部と解除部４５’（４５’’）との間にはクリアランスＣが設けられている。クリアランスＣは、引掛爪８８ａ（８８ｂ）と収納凹部９０ａ（９０ｂ）の発光モジュール内方側の端部との間にも設けられ、係合爪５２が保持部４１から外れるときに発光モジュール内方側にスライドするスライド量Ｓよりも大きく構成されている。図２０（ａ）に示した状態から、図２０（ｂ）に示すように、光源部２をソケット３から引き離すように引っ張ると、係合爪５２が、バネ５１の弾性力に逆らって発光モジュール内方側にスライドして保持部４１から外れる。このとき、クリアランスＣがスライド量Ｓよりも大きく構成されているので、延設部８７ａ（８７ｂ）の端部及び引掛爪８８ａ（８８ｂ）は、それぞれ解除部４５’（４５’’）及び収納凹部９０ａ（９０ｂ）と接触しない。次いで、図２０（ｃ）に示すように、光源部２を更に引っ張ると、係合爪５２が保持部４１から完全に外れて、光源部２がソケット３から取り外される。
【００６７】
本発光モジュールによれば、係合爪５２、５３を付勢するバネ５１には付勢方向Ｄに沿ってバネ５１を伸縮させる力しか働かず、付勢方向Ｄに交差する方向の力は働かない。そのため、バネ５１のねじれが防止され、バネ５１のねじれによって引き起こされ得る係合爪５２、５３の誤動作が起こり難くなるので、発光モジュールの信頼性を高めることができる。また、収納凹部９０ａ、９０ｂが設けられているので、ロック状態において引掛爪８８ａ、８８ｂに対して持続応力がかからず、引掛爪８８ａ、８８ｂのクリープ変形を防止することができる。更に、解除部４５’、４５’’により延設部８７ａ、８７ｂの両方を同時に押圧しないと、係合爪５２の保持が解除されない。そのため、ソケット３の装着面３１に対して光源部２をまっすぐに当接しないと光源部２がソケット３に装着されないので、光源部２の誤装着を防止することができる。
【００６８】
なお、本発明に係る発光モジュール及び照明器具は、上記実施形態及びその変形例に限定されず、種々の変形が可能である。例えば、上記では一対の係合爪の各々が発光モジュール内方側から外方側に向けて付勢された構成を示したが、一対の係合爪の各々が発光モジュール外方側から内方側に向けて付勢された構成としてもよい。また、保持機構は、上記のものに限定されず、互いに近接させた係合爪同士を紐で固定し、この紐を切ることで係合爪と保持部とを互いに係合させる構成としてもよい。
【符号の説明】
【００６９】
１  発光モジュール
２  光源部
２１  （光源部の）装着面
２６、２７  給電端子
３  ソケット
３１  （ソケットの）装着面
４１、４２  保持部
４５、４５’、４５’’、４６、４６’、４６’’  解除部
４５ａ  解除部の一対の係合爪に対向する面
４５ｂ  （解除部の一対の係合爪に対向する面の）基部
４５ｃ  （解除部の一対の係合爪に対向する面の）頂部
４８  凹部
５  係合部
５２、５３  係合爪
５２ａ、５３ａ  係合爪の交差方向における端部
５６  マーク
５７  凸部
６１  端子受け部
７５、７６、７７、７８  ソケット固定部
８  保持機構
８１、８２  突起
８３、８４  平行溝
８５、８６  交差溝
８７、８７ａ、８７ｂ  延設部
８８ａ、８８ｂ  引掛爪
８９ａ、８９ｂ  引掛凹部
９０ａ、９０ｂ  収納凹部
Ｄ  付勢方向
Ｅ  交差方向
【図１】
2014179310.tif 000003
【図２】
2014179310.tif 000004
【図３】
2014179310.tif 000005
【図４】
2014179310.tif 000006
【図５】
2014179310.tif 000007
【図６】
2014179310.tif 000008
【図７】
2014179310.tif 000009
【図８】
2014179310.tif 000010
【図９】
2014179310.tif 000011
【図１０】
2014179310.tif 000012
【図１１】
2014179310.tif 000013
【図１２】
2014179310.tif 000014
【図１３】
2014179310.tif 000015
【図１４】
2014179310.tif 000016
【図１５】
2014179310.tif 000017
【図１６】
2014179310.tif 000018
【図１７】
2014179310.tif 000019
【図１８】
2014179310.tif 000020
【図１９】
2014179310.tif 000021
【図２０】
2014179310.tif 000022
【図２１】
2014179310.tif 000023